(57)【要約】【課題】冷気の密閉性に優れ、分離性にも優れた冷蔵庫扉ガスケットを提供すること。【解決手段】冷蔵庫扉を閉じた際に冷蔵庫本体貯蔵室の開口縁部に接触する表面部がホットメルト組成物から成る冷蔵庫扉ガスケットであって、該表面部は実質的に冷蔵庫本体貯蔵室の開口縁部全体に接触するものであり、該ホットメルト組成物は、１３５℃デカリン中で測定した極限粘度［η］が１ｄｌ／ｇ以上のスチレン系熱可塑性エラストマー１００重量部；及びプロセスオイル、液状ゴムおよびこれらの変性物から選ばれた液状軟化剤３００〜１３００重量部；を含有し、（ａ）２０℃及び０℃環境下での５０％圧縮応力が０．２〜０．５ｋｇｆ／ｃｍ２であり、（ｂ）８０℃×２４時間の圧縮永久歪み率が６０％以下であり、（ｃ）２０℃のプローブタックの強度が０．１０〜０．１５ｋｇｆ／ｃｍ２である、冷蔵庫扉ガスケット。【選択図】なし【特許請求の範囲】
【請求項１】
冷蔵庫扉を閉じた際に冷蔵庫本体貯蔵室の開口縁部に接触する表面部がホットメルト組成物から成る冷蔵庫扉ガスケットであって、
該表面部は実質的に冷蔵庫本体貯蔵室の開口縁部全体に接触するものであり、
該ホットメルト組成物は、
１３５℃デカリン中で測定した極限粘度［η］が１ｄｌ／ｇ以上のスチレン系熱可塑性エラストマー１００重量部；及び
プロセスオイル、液状ゴムおよびこれらの変性物から選ばれた液状軟化剤３００〜１３００重量部； 
を含有し、
（ａ）２０℃及び０℃環境下での５０％圧縮応力が０．２〜０．５ｋｇｆ／ｃｍ２であり、
（ｂ）８０℃×２４時間の圧縮永久歪み率が６０％以下であり、
（ｃ）２０℃のプローブタックの強度が０．１０〜０．１５ｋｇｆ／ｃｍ２である、冷蔵庫扉ガスケット。
【請求項２】
磁石を有しないものである請求項１に記載の冷蔵庫扉ガスケット。
【請求項３】
前記ホットメルト組成物から成るものである請求項１又は２に記載の冷蔵庫扉ガスケット。
【請求項４】
請求項１〜３のいずれか一項に記載の冷蔵庫扉ガスケットを有する冷蔵庫扉。
【請求項５】
請求項４に記載の冷蔵庫扉を有する冷蔵庫。
【発明の詳細な説明】
【技術分野】
【０００１】
本発明は冷蔵庫扉ガスケットに関し、特に、ホットメルト組成物を有する冷蔵庫扉ガスケットに関する。
【背景技術】
【０００２】
近年、冷蔵庫、自動販売機などの冷凍冷蔵機器に対する消費エネルギー削減の要求が強くなり、冷却効率を向上させる取組みが行われている。冷凍冷蔵機器において冷却効率を阻害している一要因は、本体貯蔵室と冷蔵庫扉の隙間から熱が進入する現象である。一般に、冷蔵庫扉の周縁部にはガスケットが備えられ、冷蔵庫本体貯蔵室の開口縁部との隙間を塞ぐことによって熱の進入が抑制されている。
【０００３】
冷蔵庫扉ガスケットには、冷蔵庫外部の熱が進入し、及び内部の冷気が放散されるのを防止するために、優れた密閉性が要求される。他方、冷蔵庫扉は頻繁に開閉されるものなので、冷蔵庫扉ガスケットには、被着体からの良好な分離性が要求される。
【０００４】
通常、冷蔵庫扉ガスケットは軟質塩化ビニルシートを管状に成形し、管の空間部に磁石を埋設した構造を有している。冷蔵庫扉ガスケットは磁石の磁力によって冷蔵庫本体に引き寄せられ、貯蔵室の開口縁部に接触する。管状に成形された軟質塩化ビニルシートは柔軟性であり、冷蔵庫本体貯蔵室の開口縁部に接触した際に、その形状に追随し、扉が閉まると同時に貯蔵室が密閉される仕組みになっている。
【０００５】
しかしながら、冷蔵庫扉の開閉性を維持する必要性から、通常冷蔵庫扉ガスケットの表面は粘着性を有していない。ここでいう粘着性とは、固体の状態で被着体に濡れて被着し、被着後も状態変化を起こさずに剥離に抵抗する性質をいう。
【０００６】
そのため、従来の冷蔵庫扉ガスケットは、磁石が埋め込まれた部分は本体開口部に接触するが、冷蔵庫本体貯蔵室の開口縁部の全体、即ち、開口の全周囲にわたってガスケット表面が被着するものではない。そのために、従来の冷蔵庫扉ガスケットは密閉性が不十分である。また、従来の冷蔵庫扉ガスケットは内部に隙間を有し、磁石を備えるため熱伝導率が高く、断熱性が不十分である。
【０００７】
特許文献１には、極限粘度［η］が１ｄｌ／ｇ以上のスチレン系熱可塑性エラストマー１００重量部に対して、プロセスオイル、液状ゴムおよびこれらの変性物から選ばれた液状軟化剤２００ないし３０００重量部を配合した組成物であって、さらに、前記組成物が、(a)環球法軟化点測定法によって測定される軟化点が１２０ないし２３０℃であり；(b)−３０℃ないし４０℃の雰囲気下で７５％以上の圧縮歪みを負荷した時に割れを生じず；かつ、(c)無負荷の状態で１００℃の雰囲気中２４時間静置した時に流動しない；ことを特徴とするホットメルト組成物が記載されている。特許文献１のホットメルト組成物は、高温での圧縮永久歪みが小さく、被着体への密着性に優れておりながら、被着体からの分離が容易であるために、工業用シール材に適したものである。
【０００８】
しかしながら、特許文献１には、被着体からの良好な分離性を有し、粘着性をも有するホットメルト組成物は記載されていない。また、特許文献１には、冷気の密閉性に優れたホットメルト組成物は記載されていない。
【先行技術文献】
【特許文献】
【０００９】
【特許文献１】特開平１１−３２３０２６号公報
【発明の概要】
【発明が解決しようとする課題】
【００１０】
本発明は上記従来の問題を解決するものであり、その目的とするところは、冷気の密閉性に優れ、分離性にも優れた冷蔵庫扉ガスケットを提供することにある。
【課題を解決するための手段】
【００１１】
本発明は、冷蔵庫扉を閉じた際に冷蔵庫本体貯蔵室の開口縁部に接触する表面部がホットメルト組成物から成る冷蔵庫扉ガスケットであって、
該表面部は実質的に冷蔵庫本体貯蔵室の開口縁部全体に接触するものであり、
該ホットメルト組成物は、
１３５℃デカリン中で測定した極限粘度［η］が１ｄｌ／ｇ以上のスチレン系熱可塑性エラストマー１００重量部；及び
プロセスオイル、液状ゴムおよびこれらの変性物から選ばれた液状軟化剤３００〜１３００重量部； 
を含有し、
（ａ）２０℃及び０℃環境下での５０％圧縮応力が０．２〜０．５ｋｇｆ／ｃｍ２であり、
（ｂ）８０℃×２４時間の圧縮永久歪み率が６０％以下であり、
（ｃ）２０℃のプローブタックの強度が０．１０〜０．１５ｋｇｆ／ｃｍ２である、冷蔵庫扉ガスケットを提供する。
【００１２】
ある一形態においては、前記冷蔵庫扉ガスケットは磁石を有しないものである。
【００１３】
ある一形態においては、前記冷蔵庫扉ガスケットは前記ホットメルト組成物から成るものである。
【００１４】
また、本発明は、上記いずれかの冷蔵庫扉ガスケットを有する冷蔵庫扉を提供する。
【００１５】
また、本発明は、上記冷蔵庫扉を有する冷蔵庫を提供する。
【発明の効果】
【００１６】
本発明の冷蔵庫扉ガスケットは柔軟性、粘着性及び回復性のバランスが良く、冷気の密閉性に優れ、分離性にも優れたものである。その結果、本発明の冷蔵庫扉ガスケットを有する冷凍冷蔵機器は冷却効率が高く、消費エネルギーが低いものになる。
【発明を実施するための形態】
【００１７】
本発明の冷蔵庫扉ガスケットは冷蔵庫扉を閉じた際に冷蔵庫本体貯蔵室の開口縁部に接触して、本体貯蔵室と冷蔵庫扉の隙間を遮断する部材である。本体貯蔵室と冷蔵庫扉の隙間を遮断することで、冷蔵庫外部の熱い空気が貯蔵室に進入する現象、貯蔵室内部の冷やされた空気が冷蔵庫外部へ放散される現象が防止される。
【００１８】
冷蔵庫扉ガスケットと冷蔵庫本体貯蔵室の開口縁部との接触は、実質的に冷蔵庫本体貯蔵室の開口縁部全体に生じる。冷蔵庫本体貯蔵室の開口縁部に冷蔵庫扉ガスケットとの接触が不十分な部分があると、冷蔵庫扉ガスケットの密閉性が低下する。
【００１９】
冷蔵庫扉ガスケットの冷蔵庫本体貯蔵室の開口縁部に接触する表面部は特定のホットメルト組成物から成る。そうすることで、冷蔵庫扉ガスケットは冷蔵庫本体貯蔵室の開口縁部全体に被着して、密閉性が高くなる。
【００２０】
尚、冷蔵庫扉ガスケットの冷蔵庫本体貯蔵室の開口縁部に接触する表面部以外の部分は必ずしも特定のホットメルト組成物から成る必要はない。つまり、冷蔵庫扉ガスケットの表面部と冷蔵庫本体貯蔵室の開口縁部との全体的な接触を阻害しない限り、冷蔵庫扉ガスケットは磁石を有してよく、特定のホットメルト組成物以外の材料を有してよい。
【００２１】
好ましい一実施形態において、冷蔵庫扉ガスケットは磁石を有しないものである。磁石を有しているとその部分が硬くなるのでガスケットの物性が不均一になり、表面部と冷蔵庫本体貯蔵室の開口縁部との全体的な接触が不完全になり易い。より好ましい実施形態では、冷蔵庫扉ガスケットはその全体が特定のホットメルト組成物から成るものである。
【００２２】
本発明の冷蔵庫扉ガスケットを製造するのに用いる特定のホットメルト組成物は、１３５℃デカリン中で測定した極限粘度［η］が１ｄｌ／ｇ以上のスチレン系熱可塑性エラストマー、プロセスオイル、液状ゴムおよびこれらの変性物から選ばれた液状軟化剤、及び粘着付与剤を含有する。
【００２３】
スチレン系熱可塑性エラストマーとしては、上記極限粘度［η］が１以上のものであればとくに限定されるものではなく、スチレン／ブタジエンブロックコポリマー（Ｓ−Ｂ）、（Ｓ−Ｂ−Ｓ）、スチレン／イソプレンブロックコポリマー（Ｓ−Ｉ）、（Ｓ−Ｉ−Ｓ）およびスチレン／ブタジエン−イソプレンブロックコポリマー（Ｓ−Ｂ・Ｉ）、（Ｓ−Ｂ・Ｉ−Ｓ）ならびにこれらブロックコポリマーの水添物、例えば、スチレン−ブタジエン−スチレンブロックコポリマーの水添物（ＳＥＢＳ）、スチレン−イソプレン−スチレンブロックコポリマーの水添物（ＳＥＰＳ）、また、カルボキシル変性したスチレン熱可塑性エラストマー、さらには、スチレンブロックの中にはスチレンのほかに、スチレンとα−メチルスチレン等の芳香族系ビニル化合物の共重合体も例示される。
【００２４】
これらスチレン系熱可塑性エラストマーのなかでも、スチレン−イソプレン−スチレンブロック共重合体、スチレン−ブタジェン−スチレンブロック共重合体およびこれらの水添物、さらにはカルボキシル変性スチレン系エラストマーが好ましく用いられる。なお、これらスチレン系エラストマー中のスチレン系の占める割合は５〜７０重量％であり、とくに２０〜４０重量％の割合が高温での柔軟性とゴム弾性のバランスが優れている。
【００２５】
本発明で用いるホットメルト組成物においては、スチレン系熱可塑性エラストマー１００重量部に対して２００〜１５００重量部という多量の液状軟化剤を配合する。ベースポリマーが高分子である事により、このような多量の液状軟化剤を配合する事によって、冷蔵庫扉ガスケットとして密閉性及び易剥離性等の特性に優れたものとなる。液状軟化剤の配合量は、好ましくは、スチレン系熱可塑性エラストマー１００重量部に対して３００〜１３００重量部、より好ましくは４００〜９００重量部である。
【００２６】
本発明で用いるホットメルト組成物は、さらに、（ａ）２０℃及び０℃環境下での５０％圧縮応力が０．１〜１．２ｋｇｆ／ｃｍ２であり、
（ｂ）８０℃×２４時間の圧縮永久歪み率が２０〜１００％であり、
（ｃ）２０℃のプローブタックの強度が０．０３〜０．３ｋｇｆ／ｃｍ２であることが好ましい。そのことで、該ホットメルト組成物は、冷蔵庫扉ガスケットとして柔軟性、粘着性及び回復性のバランスが良いものになる。
【００２７】
上記５０％圧縮応力（ａ）は、好ましくは０．１２〜０．８５ｋｇｆ／ｃｍ２、より好ましくは０．２〜０．５ｋｇｆ／ｃｍ２である。上記圧縮永久歪み率（ｂ）は、好ましくは３０〜８０％、より好ましくは４０〜７０％である。
上記プローブタックの強度（ｃ）は、好ましくは０．０７〜０．２ｋｇｆ／ｃｍ２、より好ましくは０．１０〜０．１５ｋｇｆ／ｃｍ２である。
【００２８】
本発明においてスチレン系熱可塑性エラストマーに配合する液状軟化剤としては、プロセスオイル、液状ゴムまたはこれらの変性物からなる群より選ばれた少なくとも１種が例示されるが、なかでも、本発明の目的を好適に達成するために、プロセスオイルではパラフィンオイル、ナフテンオイル、アロマオイル等、液状ゴムでは液状ポリイソプレン、液状ポリブタジエン、液状ポリブテン、液状１，２ポリブタジエン、液状スチレン−ブタジエンゴム、マレイン化ポリブタジエン、末端水酸基ポリブタジエン、マレイン化ポリブテン等がそれぞれ単独または併用して用いられる。
【００２９】
液状軟化剤は、柔軟性、粘着性及び回復性のバランスが良く、冷気の密閉性に優れ、分離性にも優れるという発明の目的を達成するためには、スチレン系熱可塑性エラストマー１００重量部に対して５００〜７００重量部の範囲で配合される。
【００３０】
本発明のホットメルト組成物は、粘着付与剤を含有することが好ましい。粘着付与剤としては、脂環族系水添タッキファイヤー、ロジン、変性ロジン、またはこれらのエステル化物、脂肪族系石油樹脂、脂環族系石油樹脂、芳香族系石油樹脂、脂肪族成分と芳香族成分の共重合石油樹脂、低分子量スチレン樹脂、イソプレン系樹脂、アルキルフェノール樹脂、テルペン樹脂、クマロン・インデン樹脂などの自体公知の粘着付与剤がなんら制限なく用いられるが、なかでも、ロジン系および／または石油樹脂系の粘着付与剤が好ましく用いられる。
【００３１】
さらに本発明のホットメルト組成物には、発明の目的を損なわない範囲で、ポリオレフィン系ワックスなどの改質剤、無機および／または有機充填剤、あるいは顔料、安定剤等の添加剤を配合することができる。
【００３２】
ワックスとしては、パラフィンワックス、マイクロクリスタンワックス、ポリエチレンワックス、ポリプロピレンワックス、フィッシャートロピッシュワックス、酸化ポリエチレンワックス、マレイン化ポリエチレンワックスならびにそれらの変性物が例示される。
【００３３】
熱可塑性エラストマーおよび熱可塑性樹脂としては、スチレン・ブタジエンゴム、エチレン・プロピレンゴム、ブチルゴム、アクリルゴム、エチレン・酢酸ビニル共重合体、ポリエチレン、ポリプロピレン、ポリスチレン、ポリブテン、ポルブタジエン等が例示される。
【００３４】
無機充填剤としては、炭酸カルシウム、酸化亜鉛、ガラスビーズ、酸化チタン、アルミナ、カーボンブラック、クレー、フェライト、タルク、雲母粉、アエロジル、シリカならびにガラス繊維等の無機繊維および無機発泡体が例示される。
【００３５】
有機充填剤としては、エポキシ樹脂等の熱硬化性樹脂の粉末、炭素繊維、合成繊維、合成パルプ等が例示される。
【００３６】
また安定剤としては、フェノール系酸化防止剤、リン系酸化防止剤、ベンゾトリアゾール系紫外線吸収剤、ベンゾフェノン系紫外線吸収剤、ヒンダー扉ミン系ラジカル捕捉剤などが例示される。
【００３７】
本発明の冷蔵庫扉ガスケットは、形成位置に関しては、従来のものと同様であってよい。本発明の冷蔵庫扉ガスケットの寸法及び形状は、冷蔵庫本体貯蔵室の開口縁部に接触し、密着するものである。本発明の冷蔵庫扉ガスケットは、内部に磁石を備える必要がなく、磁石を内部に導入するための空間を形成する必要が無い。そのため、冷蔵庫扉ガスケットの厚みを薄くすることができる。
【００３８】
その結果、冷蔵庫の外観において、冷蔵庫扉ガスケットの存在を目立たなくする、又は冷蔵庫扉ガスケットを見えなくすることができる。それに加えて、冷蔵庫扉ガスケットを製造する際に内部に磁石を導入する工程が不要になるので、作業効率が向上する。
【００３９】
本発明の冷蔵庫扉ガスケットを製造するには、まず、上記特定のホットメルト組成物を加熱して溶融し、冷蔵庫扉ガスケットに適した形状に成形し、その後溶融温度以下の温度まで冷却して形状を固定する。つまり、冷蔵庫扉の内側パネルのガスケットを形成する位置に、所定の形状に成形したホットメルト組成物を固定する。例えば、冷蔵庫の内側パネルの周縁部にガスケット固定用の溝を形成し、溶融したホットメルト組成物でその溝を充填しながら、溝の上部に冷蔵庫扉ガスケットを形成することで、冷蔵庫の内側パネルに冷蔵庫扉ガスケットを固定することができる。この場合、冷蔵庫扉ガスケットの溝の内部と上部のガスケット部はホットメルト組成物から成る一体構造になる。
【００４０】
ガスケット固定用の溝の寸法及び形状は、冷蔵庫扉を開けるときに、冷蔵庫扉ガスケットを冷蔵庫の内側パネルに固定しておくことができる形状である。本発明の冷蔵庫扉ガスケットは、冷蔵庫扉が閉じられるときに冷蔵庫本体に粘着する。そのため、冷蔵庫扉を開く際に、冷蔵庫扉ガスケットを引き抜こうとする力が発生する。
【００４１】
例えば、ガスケット固定用の溝の開口部は溶融したホットメルト組成物が進入することができる大きさにし、溝の内部は開口部よりも広い形状にすることで、冷蔵庫扉を開く際に発生する冷蔵庫扉ガスケットを引き抜こうとする力に抵抗することができる。応用実施形態として、冷蔵庫扉ガスケットを冷蔵庫本体貯蔵室の開口縁部に形成して、冷蔵庫扉周縁部に密着するように構成してもよい。
【００４２】
本発明で使用するホットメルト組成物は、冷蔵庫扉ガスケットを備えた冷蔵庫扉の密閉性を向上させる補助パッキンとして使用してよい。かかる冷蔵庫扉補助パッキンは、冷蔵庫本体貯蔵室の開口縁部に密着することで、冷蔵庫扉の密閉性を向上させる。冷蔵庫扉ガスケットは本願発明の冷蔵庫扉ガスケットであっても従来の冷蔵庫扉ガスケットであってもよい。冷蔵庫扉補助パッキンは、冷蔵庫扉内側パネルにおいて、冷蔵庫扉ガスケットの内周部又は外周部に、又は冷蔵庫扉ガスケットと実質的に平行になる位置に成形する。冷蔵庫扉補助パッキンの形成方法は冷蔵庫扉ガスケットの形成方法と同様である。
【００４３】
冷蔵庫扉補助パッキンは冷蔵庫扉の熱リークし易い辺又は部位に形成してもよい。冷蔵庫扉の熱リークし易い辺としては、収納物を取り出す方向に対応した辺が挙げられる。収納物を取り出す方向に対応した辺は、冷蔵庫扉が片開き式扉の場合は開く側の辺であり、引き出し式扉の場合は上方の辺である。応用実施形態として、冷蔵庫扉補助パッキンは冷蔵庫本体貯蔵室の開口縁部に形成してもよい。
【００４４】
以下、実施例に基づいて本発明を説明するが、発明の要旨を逸脱しない限りにおいてこれによって制限されるものではない。なお、実施例および比較例における試験片の作成、ならびにホットメルト組成物の物性の評価は、下記の方法に従ったものである。
【実施例】
【００４５】
＜試験片の作成方法＞
得られたホットメルト組成物から、高さ２０ｍｍ、直径２７ｍｍの円柱を成形し、以下で使用する試験片とした。
【００４６】
＜５０％圧縮応力＞
恒温槽付き精密万能試験機（（株）島津製作所製、ＡＧ-２０ｋＮＸ）を用いて圧縮速度５０ｍｍ／ｍｉｎ、測定雰囲気２０℃にて、上記試験片を高さ方向に圧縮し、この時の圧縮応力を測定した。
【００４７】
［数１］
圧縮応力（kgf/cm2）＝応力／断面積
【００４８】
＜５０％圧縮永久歪み＞
上記の通り作製した試験片を５０％圧縮（２０ｍｍを１０ｍｍまで圧縮）し、８０℃に２４時間放置後、解放し２４時間後の高さを測定し、下記計算式にて算出した。
【００４９】
［数２］
永久歪み（％）＝｛（20mm−解放後の高さ(mm)）／10mm｝×100
【００５０】
＜プローブタック＞
恒温槽付き精密万能試験機（（株）島津製作所製、ＡＧ-２０ｋＮＸ）内に上記のとおり作製した試験片を置く。速度１０ｍｍ／ｍｉｎでプローブ（直径10 mm、材質SUS304）と試験片の粘着面を接触させ、０．１kgf/cm2の接触荷重で1秒間保持する。その後直ちに、５００ｍｍ／ｍｉｎの速度でプローブを粘着面から垂直方向に引き剥がす。引き剥がす際に要する最大荷重を求め、プローブタックを測定した。
【００５１】
［数３］
プローブタック（kgf/cm2）＝粘着力／面積
【００５２】
＜製造例１＞
スチレン系熱可塑性エラストマーとして、［η］１．４６のＳＥＰＳ（エラストマーＡという）１００重量部に対して、液状軟化剤として、商品名「ダイアナプロセスオイルＰＷ−９０」（出光興産（株）製）５００重量部を添加し、（株）モリヤマ社製の１リットル双腕型ニーダー（型式ＳＶＩ−１ＧＨ−Ｅ型）に仕込み、５２ＲＰＭで２００℃で１時間混練してホットメルト組成物を得た。得られたホットメルト組成物の物性を表１に示した。
【００５３】
＜製造例２＞
製造例１における液状軟化剤（「ダイアナプロセスオイルＰＷ−９０」）の量を７００重量部とする以外は、製造例１と同様にしてホットメルト組成物を得た。得られたホットメルト組成物の物性を表１に示した。
【００５４】
＜製造例３＞
製造例１における液状軟化剤（「ダイアナプロセスオイルＰＷ−９０」）の量を２５０重量部とする以外は、製造例１と同様にしてホットメルト組成物を得た。得られたホットメルト組成物の物性を表１に示した。
【００５５】
＜製造例４＞
製造例１における液状軟化剤（「ダイアナプロセスオイルＰＷ−９０」）の量を１５００重量部とする以外は、製造例１と同様にしてホットメルト組成物を得た。得られたホットメルト組成物の物性を表１に示した。
【００５６】
＜製造例５＞
スチレン系熱可塑性エラストマーとして、［η］０．５９のＳＥＰＳ（エラストマーＢという）１００重量部に対して、液状軟化剤として、商品名「ダイアナプロセスオイルＰＷ−９０」（出光興産（株）製）５００重量部を添加し、（株）モリヤマ社製の１リットル双腕型ニーダー（型式ＳＶＩ−１ＧＨ−Ｅ型）に仕込み、５２ＲＰＭで２００℃で１時間混練してホットメルト組成物を得た。得られたホットメルト組成物の物性を表１に示した。
【００５７】
［表１］
2017078101.tif 000002
【００５８】
以上の結果より、冷蔵庫扉ガスケットに適しているホットメルト組成物は、以下の配合骨格を持つホットメルト組成物である。
（ａ）２０℃及び０℃環境下での５０％圧縮応力が０．２〜０．５ｋｇｆ／ｃｍ２であり、
（ｂ）８０℃×２４時間の圧縮永久歪み率が６０％以下であり、
（ｃ）２０℃のプローブタックの強度が０．１０〜０．１５ｋｇｆ／ｃｍ２である。
【００５９】
＜実施例１＞
ハイアールアジア社製冷蔵庫「AQUA AQR-SD40B」（商品名）の冷蔵庫扉を準備した。冷蔵庫扉の種類は、冷蔵室用（縦７８０ｍｍ、横６４０ｍｍ、厚み７ｍｍ、冷蔵室容量２２１リットル、庫内温度５℃）、野菜室用（縦３９０ｍｍ、横６４０ｍｍ、厚み７ｍｍ、野菜室容量７４リットル、庫内温度５℃）及び冷凍室用（縦５３０ｍｍ、横６４０ｍｍ、厚み７ｍｍ、冷凍室容量１０５リットル、庫内温度−１８℃）の３種類とした。
【００６０】
冷蔵庫扉の内側パネルからガスケット及びガスケットの内周部の補助パッキンを外した。内側パネルのガスケットが装着されていた部分を両側から挟む型枠を作った。１８０℃に加熱して、製造例のホットメルト組成物を溶融し、型枠の間に溶融したホットメルト組成物を塗布した。室温に冷却することでホットメルト組成物を固化し、型枠を外した。形成された冷蔵庫扉ガスケットの寸法は幅１０ｍｍ、厚み７ｍｍであった。
【００６１】
得られた冷蔵庫扉を本体に取り付け、冷蔵庫の熱リーク量（ＷＨ／ｈ）を測定した。熱リーク量の測定条件及び方法は次の通りである。
【００６２】
冷蔵庫の冷蔵室、野菜室及び冷凍室にヒーター装置を設置した。このヒーター装置は、部室内の温度を設定した温度保つように、周囲温度の変動に応じてスイッチのオンオフを行う温度調節機能を備えるものである。その後、冷蔵庫扉を閉めて、冷蔵庫を恒温室に入れた。
【００６３】
恒温室の内部の温度を−２４℃に調節した。冷蔵庫内（冷蔵室、冷凍室及び野菜室）の温度を１０℃に調節した。その後２時間、恒温室の温度を維持しした。その間、冷蔵庫の室内の熱が恒温室にリークして室内の温度が低下した場合に、ヒーター装置のスイッチが入ることになる。
【００６４】
ヒーターのスイッチが入ることで消費された電力量（ＷＨ）を積算し、冷蔵室、冷凍室及び野菜室の値を合計することで、冷蔵庫一台の１０℃から−２４℃における熱リーク量（ＷＨ）とした。
【００６５】
冷蔵庫内温度を１６℃、２２℃及び２８℃に調節して、各温度において、同様の操作を行い、各温度条件における冷蔵庫一台の熱リーク量（ＷＨ）を記録した。
【００６６】
恒温室温度及び冷蔵庫内温度を次の通り変更すること以外は上記と同様にして、冷蔵庫一台の熱リーク量（ＷＨ）を記録した。
【００６７】
［表２］
2017078101.tif 000003
【００６８】
各温度条件で記録された熱リーク量を、温度差を考慮して補正、平均及び単位時間当たりに換算して、冷蔵庫一台の熱リーク量（ＷＨ／ｈ）を算出した。
【００６９】
対象例及び参考例として、冷蔵庫扉の密閉部材の種類及び配置を表３の通りに変更した冷蔵庫を使用して、同様に冷蔵庫の熱リーク量を測定した。また、各密閉構造について、対象構造を基準にした熱リーク量の変化を算出した。結果を表４に示す。
【００７０】
［表３］
2017078101.tif 000004
【００７１】
尚、参考構造の冷蔵庫扉補助パッキンは次のようにして形成した。即ち、冷蔵庫扉の内側パネルからガスケットの内周部の補助パッキンを外した。内側パネルの補助パッキンが装着されていた部分を両側から挟む型枠を作った。１８０℃に加熱して、製造例のホットメルト組成物を溶融し、型枠の間に溶融したホットメルト組成物を塗布した。室温に冷却することでホットメルト組成物を固化し、型枠を外した。形成された冷蔵庫扉補助パッキンの寸法は幅１０ｍｍ、厚み７ｍｍであった。
【００７２】
［表４］
2017078101.tif 000005